(57)【要約】 【課題】  重錘体に何らの加工も施さずに移動を阻止しうると共に、石や釘等と接触しても裂けにくい重錘体コードを提供する【解決手段】  この重錘体コードは、不織布製コードである。不織布としては、低融点成分と高融点成分とからなる複合繊維を含有するテープ状不織布が用いられている。テープ状不織布は、その長手方向に直列に配置している小室群１，１，１・・・を備えている。各小室１内には重錘体２が収納されている。小室群１，１，１・・・以外の箇所は、複合繊維の低融点成分が融着固化して、各小室１を区画している。そして、この区画によって、重錘体２の移動を阻止している。テープ状不織布の表面には、低融点繊維層と高融点繊維層とからなる二層構造不織布が貼合されていてもよい。貼合は、低融点繊維層と低融点成分との融着固化によって行われるのが好ましい。【選択図】  図１
0003122593.tif 000002
【実用新案登録請求の範囲】
【請求項１】
低融点成分と高融点成分とからなる複合繊維を含有するテープ状不織布が、その長手方向に直列に配置している小室群を備えており、各小室内には重錘体が収納されており、該小室群以外の箇所は、該複合繊維の低融点成分が融着固化して、各小室を区画していることにより、重錘体の移動を阻止していることを特徴とする重錘体を内臓してなる不織布製コード。
【請求項２】
請求項１記載の不織布製コードのテープ状不織布の表面に、低融点繊維層と高融点繊維層とからなる二層構造不織布が貼合されており、該テープ状不織布表面と該低融点繊維層とが当接して、該テープ状不織布に含有されている低融点成分と、該低融点繊維とが融着固化して貼合されている、重錘体を内蔵してなる不織布製コード。
【請求項３】
高融点繊維層が白色以外の色に着色されている請求項２記載の重錘体を内臓してなる不織布製コード。
【請求項４】
重錘体が鉛以外の金属である請求項１乃至３のいずれか一項に記載の重錘体を内臓してなる不織布製コード。
【請求項５】
請求項１乃至４記載の重錘体を内臓してなる不織布製コードを、ネット本体の端縁に縫着してなるネット。
【請求項６】
防鳥ネット又は防獣ネットである請求項５記載のネット。
【考案の詳細な説明】
【技術分野】
【０００１】
本考案は、カラス避けネットやハト避けネット等の端縁に縫着し錘として使用するための重錘体コードに関し、特に重錘体が不織布で被覆されてなることを特徴とする不織布製コードに関するものである。
【背景技術】
【０００２】
従来より、重錘体コードとしては、糸入り鉛線が伝統的に使用されていた。糸入り鉛線は、糸表面に多数個の鉛をかしめて取り付けたものであり、重錘体コードとして多用されている。たとえば、マルチフィラメント糸条で組紐を編組する際に、その中心に糸入り鉛線を配置して、重錘体組紐コードとして用いられている。
【０００３】
しかるに、近年、鉛は環境に悪影響を及ぼすとして、忌避される傾向にある。糸入り鉛線に使用されている固体の鉛が、環境に悪影響を及ぼすとの根拠は全くなく、単なる風評であるとの意見もある。しかしながら、単なる風評であったとしても、鉛に代えて他の金属で重錘体コードを得ようとする試みは、無意味なことではない。
【０００４】
本考案者も、鉛に代えて、比較的高比重のステンレスを用いて、糸入りステンレス線を得ることを試みた。しかしながら、ステンレスは鉛に比べて硬いため、それをかしめて糸に取り付けることが困難であった。また、ステンレス以外の金属を試みたが、鉛に比べてるといずれも硬く、糸に取り付けることが困難であった。
【０００５】
このため、特許文献１に記載されているように、筒状の編織物やフィルムの中に、多数個の重錘体を直列に配置することが提案されている。しかしながら、筒状の編織物やフィルムの中に多数個の重錘体を収納しただけでは、重錘体が移動する。そこで、特許文献１記載の技術では、重錘体の表面をテクスチャー加工して粗面とし、筒状の編織物やフィルムと固着係合させて、移動を阻止している（特許文献１、請求項１）。また、フィルムとして熱収縮性フィルムを使用して、重錘体と固着接触させて係合することも記載されている（特許文献１、請求項１５）。
【０００６】
【特許文献１】特表２００４−５１０４１８公報
【考案の開示】
【考案が解決しようとする課題】
【０００７】
しかしながら、重錘体を一個づつ、テクスチャー加工することは、合理的ではない。また、熱収縮性フィルムは、編織物に比べて、石や釘等と接触して裂けやすい。そこで、本考案は、重錘体に何らの加工も施さずに移動を阻止しうると共に、石や釘等と接触しても裂けにくい重錘体コードを得ることを課題とする。
【課題を解決するための手段】
【０００８】
本考案は、上記課題を解決するために、特定の不織布を用いて重錘体コードを作成することにより、重錘体を区画された小室に収納して、移動を阻止しうるようにすると共に、不織布中に繊維を残存させて、石や釘等と接触しても裂けにくくしたものである。
【０００９】
すなわち、本考案は、低融点成分と高融点成分とからなる複合繊維を含有するテープ状不織布が、その長手方向に直列に配置している小室群を備えており、各小室内には重錘体が収納されており、該小室群以外の箇所は、該複合繊維の低融点成分が融着固化して、各小室を区画していることにより、重錘体の移動を阻止していることを特徴とする重錘体を内臓してなる不織布製コードに関するものである。
【００１０】
本考案で使用する不織布は、低融点成分と高融点成分とからなる複合繊維を含有するものである。具体的には、低融点成分を鞘成分とし高融点成分を芯成分となる芯鞘型複合繊維や、断面半月状の低融点成分と高融点成分とが貼り合わされてなるサイドバイサイド型複合繊維を含有する不織布である。低融点成分と高融点成分の組み合わせとしては、ポリエチレン−ポリエステル、低融点ポリエステル−高融点ポリエステル、ポリエチレン−ポリプロピレン、ポリプロピレン−ポリエステル等が挙げられる。なお、複合繊維は長繊維でも短繊維でもよい。このような不織布は市販されており、ポリエチレンとポリエステルからなる芯鞘型複合繊維で構成された、ユニチカ株式会社製のスパンボンド不織布「エルベス」等が代表的である。
【００１１】
この不織布は、テープ状となっており、その長手方向に直列に配置している小室群１，１，１・・・を備えている。小室群１，１，１・・・を備えたテープ状不織布を得るには、たとえば、二枚のテープ状不織布を重合し、小室群１，１，１・・・以外の箇所に、熱及び圧力を付加して、不織布中の低融点成分を溶融又は軟化させ、その箇所を融着させればよい。また、一枚の幅広のテープ状不織布を、長手方向に沿って二つ折りして重合し、小室群１，１，１・・・以外の箇所に、熱及び圧力を付加して、不織布中の低融点成分を溶融又は軟化させ、その箇所を融着させてもよい（図１）。この際、高融点成分は溶融せず、当初の繊維形態を維持している。したがって、融着箇所においても、繊維形態を持つ高融点成分が残存しているため、石や釘等と接触しても、フィルムの如く裂けやすくなるのを防止しうるのである。
【００１２】
小室１の中には重錘体２が収納されている。重錘体２は、錘として使用しうるものであるれば、どのようなものでもよい。一般的には、金属が用いられる。上記したように、鉛は環境に悪影響があるとの風評があるので、鉛以外のステンレスや鉄等を用いるのが好ましい。小室１の中に重錘体２を収納するには、素材であるテープ状不織布又は幅広のテープ状不織布を用いて、小室１を作成する際に行えばよい。すなわち、二枚のテープ状不織布を重合する際、又は幅広のテープ状不織布を長手方向に沿って二つ折りして重合する際に、小室となる箇所に重錘体を配置しておけばよい。
【００１３】
本考案に係る不織布製コードのテープ状不織布表面には、更に、強度向上のため、或いは外観向上のため、他の不織布を貼合しておいてもよい。たとえば、低融点繊維層と高融点繊維層とからなる二層構造不織布を用い、これをテープ状不織布表面に貼合しておいてもよい。低融点繊維層と高融点繊維層の組み合わせとしては、たとえば、ポリエチレン繊維層−ポリエステル繊維層、低融点ポリエステル繊維層−高融点ポリエステル繊維層、ポリエチレン繊維層−ポリプロピレン繊維層、ポリプロピレン繊維層−ポリエステル繊維層等が挙げられる。なお、使用する繊維は長繊維でも短繊維でもよい。このような二層構造不織布も市販されており、ポリプロピレン長繊維層とポリエステル長繊維層で構成された、帝人株式会社製の「メルフィット」等が代表的である。
【００１４】
二層構造不織布の貼合は、低融点繊維層がテープ状不織布表面に当接するようにし、熱と圧力を付加して、低融点繊維を溶融又は軟化し、また同時に、テープ状不織布の低融点成分も溶融又は軟化させ、両者を融着固化することによって行う。この際、二層構造不織布の高融点繊維は溶融せず、また、テープ状不織布の高融点成分も溶融せず、繊維形態を維持しているので、石や釘等と接触しても、フィルムの如く裂けやすくなるのを防止しうる。二層構造不織布を貼合する時期は、任意である。たとえば、小室群１，１，１・・・を作成する前に、予め、素材であるテープ状不織布又は幅広のテープ状不織布に貼合しておいてもよい。また、重錘体２，２，２・・・を収納した小室群１，１，１・・・を作成して、重錘体を内蔵してなる不織布製コードを製造した後に、これを二層構造不織布で被覆して、貼合してもよい。
【００１５】
二層構造不織布として、高融点繊維層が白色以外の色に着色されているものを用いることは、不織布製コードの外観向上のために、好ましいことである。たとえば、不織布製コードをネットの錘として使用するときには、ネットの色調と調和のとれた色に着色された高融点繊維層を持つ二層構造不織布を採用するのがよい。
【００１６】
本発明に係る不織布製コードは、従来、糸入り鉛線が用いられていた用途に使用することができる。具体的には、カラス避けネット、ハト避けネット、防獣ネット、漁網用ネット、防球ネット等のネット本体の端縁に、錘として本発明に係る不織布製コードが縫着される。特に、カラス避けネットやハト避けネット等の防鳥ネットの端縁に、本発明に係る不織布製コードを縫着するのが好ましい。また、鼠、犬、猫等の進入を防止するための防獣ネットの端縁に、本発明に係る不織布製コードを縫着して使用するのも好ましい。
【考案の効果】
【００１７】
本考案に係る不織布製コードは、重錘体を収納した小室を、長手方向に直列に配置してなるものである。そして、この小室は、不織布に含有されている複合繊維の低融点成分が融着固化することによって、一室づつ、区画されているので、重錘体が小室を超えて移動することはない。したがって、使用時に、重錘体が移動して長手方向の一方に偏ったり、小室から外部へ飛び出したりすることがない。しかも、小室以外の箇所は、複合繊維の低融点成分で融着固化されているが、複合繊維の高融点成分は当初の繊維形態を維持している。したがって、繊維形態を維持している高融点成分の残存によって、石や釘等と接触して、フィルムの如く、簡単に裂けることを防止できる。
【００１８】
また、本考案に係る不織布製コードは、糸入り鉛線のように、重錘体として柔らかいものしか使用できないということはなく、硬いステンレスや鉄のような金属であっても、使用しうるものである。すなわち、重錘体の素材を問わず、糸入り鉛線の代用品として使用しうるという効果も奏する。
【００１９】
さらに、不織布は任意の色に着色しうるので、防鳥ネットや防獣ネット等の各種ネットの端縁に縫着して使用するときは、そのネットの色調に調和した色の不織布製コードを容易に採用しうるという効果も奏する。
【図面の簡単な説明】
【００２０】
【図１】本考案に係る不織布製コードの平面図である。
【図２】図１の不織布製コードのＡ−Ａ線断面図である。
【符号の説明】
【００２１】
１      小室
２      重錘体
【図１】
0003122593.tif 000003
【図２】
0003122593.tif 000004